(57)【要約】      （修正有）【課題】強風時にも暴れることなくカバーすることができ、地震によって揺れ動いた場合でもその揺れ動きを吸収する屋上用目地カバー装置を提供する。【解決手段】目地部を介して設けられた一方と他方の躯体間の目地部をカバーする目地カバー８を備える屋上用目地カバー装置１であって、一方の躯体３に設けられた水切りカバーと、一端部が他方の躯体に取付けられ、水切りカバーの上部にその他端部が位置する複数個の目地カバー支持具と、これらの目地カバー支持具の上面に支持状態で取り付けられた目地カバーと、この目地カバーの一方の躯体側の他端部と水切りカバーの上面との間の隙間を塞ぐカバー装置とを備え、カバー装置は、少なくとも目地カバー支持具又は目地カバーの他端部付近のいずれかに設けられた防水板取付具と、該防水板取付具に上下方向に移動可能に取り付けられ、下端部が前記水切りカバーの上面に当接する防水板とで構成されることを特徴とする。【選択図】図１
2020133226.tif 000002
【特許請求の範囲】
【請求項１】
目地部を介して設けられた一方と他方の躯体間の目地部をカバーする目地カバーを備える屋上用目地カバー装置であって、前記一方の躯体に設けられた水切りカバーと、一端部が前記他方の躯体に取付けられ、前記水切りカバーの上部にその他端部が位置する複数個の目地カバー支持具と、これらの目地カバー支持具の上面に支持状態で取り付けられた前記目地カバーと、この目地カバーの前記一方の躯体側の他端部と前記水切りカバーの上面との間の隙間を塞ぐカバー装置とを備え、
前記カバー装置は、少なくとも前記目地カバー支持具又は前記目地カバーの前記他端部付近のいずれかに設けられた防水板取付具と、該防水板取付具に上下方向に移動可能に取り付けられ、下端部が前記水切りカバーの前記上面に当接する防水板とで構成される屋上用目地カバー装置。
【請求項２】
前記防水板の下端部は、摺動部材を介して前記水切りカバーの前記上面に当接するとともに、前記防水板の下端部付近に弾性の防水カバーが設けられていることを特徴とする請求項１に記載の屋上用目地カバー装置。
【請求項３】
前記目地カバーの他端部と前記防水板の間には、弾性材の防水カバーが設けられていることを特徴とする請求項１又は請求項２のいずれかに記載の屋上用目地カバー装置。
【請求項４】
前記防水板の内側には、目地カバーの他端部と前記水切りカバーの間から雨水が内部に侵入することを防止する防水手段がさらに設けられていることを特徴とする請求項１乃至請求項３のいずれかに記載の屋上用目地カバー装置。
【発明の詳細な説明】
【技術分野】
【０００１】
本発明は目地部を介して設けられた躯体の間の目地部を塞ぐ屋上用目地カバー装置に関する。
【背景技術】
【０００２】
従来の屋上用目地カバー装置は、「パラペットに設置された水切りカバーと、この水切りカバーの支持片の上部に位置するように取り付けられた目地カバーと、この水切りカバーと目地カバーの間の隙間を塞ぐように、目地カバーの他端部に防水ゴムが設けられた屋上用目地装置」が知られている（特許文献１）。
【０００３】
しかしながら、このような屋上用目地カバー装置では、目地カバーと水切りカバーの隙間が小さい場合にはある程度機能するものの、地震によって左右の躯体が上下方向に揺れ動くことが想定される場合には、目地カバーと水切りカバーの隙間をある程度大きくしなければならない。
【０００４】
そのような場合であっても、目地カバーと水切りカバーの間は常時閉塞されている（雨水が侵入しないようになっている）ことが望ましいが、防水ゴムが風によって外側にめくれ上がってしまうおそれがあり、このような場合には雨風が躯体内部に吹き込んでしまうという問題点があった。
【先行技術文献】
【特許文献】
【０００５】
【特許文献１】特開２０１１−５２５０２号公報
【発明の概要】
【発明が解決しようとする課題】
【０００６】
本発明は以上のような従来の欠点に鑑み、目地カバーと水切りカバーの間をカバーすることができるとともに、地震によって左右の躯体が上下方向に揺れ動いた場合であってもその揺れ動きを吸収することができる屋上用目地カバー装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の請求項１に記載の屋上用目地カバー装置は、目地部を介して設けられた一方と他方の躯体間の目地部をカバーする目地カバーを備える屋上用目地カバー装置であって、前記一方の躯体に設けられた水切りカバーと、一端部が前記他方の躯体に取付けられ、前記水切りカバーの上部にその他端部が位置する複数個の目地カバー支持具と、これらの目地カバー支持具の上面に支持状態で取り付けられた前記目地カバーと、この目地カバーの前記一方の躯体側の他端部と前記水切りカバーの上面との間の隙間を塞ぐカバー装置とを備え、前記カバー装置は、少なくとも前記目地カバー支持具又は前記目地カバーの前記他端部付近のいずれかに設けられた防水板取付具と、該防水板取付具に上下方向に移動可能に取り付けられ、下端部が前記水切りカバーの前記上面に当接する防水板とで構成されることを特徴とする。
【０００９】
請求項２に記載の屋上用目地カバー装置の前記防水板の下端部は、摺動部材を介して前記水切りカバーの前記上面に当接するとともに、前記防水板の下端部付近に弾性の防水カバーが設けられていることを特徴とする。
【００１０】
請求項３に記載の屋上用目地カバー装置の前記目地カバーの他端部と前記防水板の間には、弾性材の防水カバーが設けられていることを特徴とする。
【００１１】
請求項４に記載の屋上用目地カバー装置の前記防水板の内側には、目地カバーの他端部と前記水切りカバーの間から雨水が内部に侵入することを防止する防水手段がさらに設けられていることを特徴とする。
【発明の効果】
【００１２】
以上の説明から明らかなように、本発明にあっては次に列挙する効果が得られる。
（１）請求項１に記載の発明においては、カバー装置により、一方の躯体に配設された水切りカバーの上面と目地カバーの前記一方の躯体側の他端部との間の隙間を確実に塞ぐことができ、例えば、強風等が吹いている場合であっても、防水板がめくれ上がることがない。
したがって、雨水等が目地部内へ入り込むことを確実に防止することができる。
（２）また、防水板は上下方向に移動可能に取り付けられているので、地震によって一方と他方の躯体が異なる上下方向に揺れ動いた場合であっても、地震による揺れ動きを吸収することができる。
（３）請求項２に記載の発明においても、前記（１）〜（２）と同様な効果が得られるとともに、左右方向の揺れにもスムーズに追従することができる。
（４）請求項３及び請求項４に記載の各発明においても、前記（１）〜（３）と同様な効果が得られると共に、より確実に防水することができる。
【図面の簡単な説明】
【００１３】
図１乃至図１０は本発明の第１の実施形態を示す説明図である。
図１１乃至図１５は本発明の第２の実施形態を示す説明図である。
【図１】第１の実施形態を示す屋上用目地カバー装置の平面図（通常時）。
【図２】図１の２−２線に沿う断面図。
【図３】図１の３−３線に沿う断面図。
【図４】水切りカバーの説明図。
【図５】目地カバー支持具及び目地カバーの説明図。
【図６】カバー装置の説明図。
【図７】地震で目地部が狭くなった場合の正面視側からの動作説明図。
【図８】地震で目地部が広くなった場合の正面視側からの動作説明図。
【図９】地震で目地カバーと水切りカバーの間の隙間が狭くなった場合の正面視側からの動作説明図。
【図１０】地震で目地カバーと水切りカバーの間の隙間が広くなった場合の正面視側からの動作説明図。
【図１１】第２の実施形態を示す屋上用目地カバー装置の平面図。
【図１２】図１１の１２−１２線に沿う断面図。
【図１３】目地カバー支持具の説明図。
【図１４】目地カバーの説明図。
【図１５】カバー装置の説明図。
【発明を実施するための形態】
【００１４】
以下、図面に示す本発明を実施するための形態により、本発明を詳細に説明する。
図１乃至図１０に示す本発明を実施するための第１の形態において、１は目地部２を介して設けられた一方の躯体３及び他方の躯体４との間に設置された屋上用目地カバー装置である。
【００１５】
なお、左右方向とは図１（平面視）における左右方向であり、前後方向とは図１における上下方向、上下方向とは図２における上下方向をいう。
【００１６】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１７】
本実施形態の屋上用目地カバー装置１は、図１乃至図３に示すように、一方の躯体３のパラペット５にやや傾斜状に設けられた水切りカバー６と、他方の躯体４の垂直外壁４ａにその垂直状の一端部７ａが取付けられ、該水切りカバー６の一方の躯体３側の端部付近にその先細り状の他端部７ｂが位置し、かつ、前後方向に所定間隔を有して並設された複数個の目地カバー支持具７と、これらの目地カバー支持具７の上面に支持され、他方の躯体４の外壁４ａの横向き凹所内にその一端部８ａが取付けられているとともに、該水切りカバー６の上方にその下方に垂直方向に突出する他端部８ｂが位置し、かつ、複数個の目地カバー支持具７を覆うように設けられる目地カバー８と、前記の下方へ突出する他端部８ｂと前記水切りカバー６の上面との間の隙間（開口）を塞ぐカバー装置９とで構成されている。
【００１８】
水切りカバー６は、図４に示すように、一方の躯体３の目地部２側の上面、本実施形態においては一方の躯体３のパラペット５の上面にやや傾斜状に固定されるもので、例えば正面視として図２を参照にすると、全体として略クランク形状で、左右の両端部６ａ、６ｂを除いた上面６ｃが傾斜面状に形成されている。この水切りカバー６の一方の躯体３側（目地部２の反対側）の一端部は、パラペット５の内側壁面に当接するように、下方へ突出する誘導側壁６ａを備えている。
【００１９】
また、目地部２側の他端部には、略垂直に立ち上がる側壁６ｂを備えている。
この水切りカバー６は、パラペット５の上部に複数本のアンカーボルト等で、所定間隔を隔てて複数個設けられた水切りカバー取付具１０を介して一方の躯体３のパラペット５の上面に固定される。
【００２０】
目地カバー支持具７は、図５に示すように、その一端部が他方の建物４の外壁４ａにタッピングビス等により固定されており、実施形態では複数個が前後方向に所定間隔を有して並設されている。
【００２１】
したがって、目地カバー８は、前述した目地部２の上方に配設された状態で複数個の目地カバー支持金具７に支持されるとともに、他方の躯体４の壁面に取付端部８ａが固定されているので、複数個の目地カバー支持具７の上面を覆うとともに、目地部２をカバーする。
【００２２】
この目地カバー８は、図５に示すように、上面が傾斜面状に形成されており、その他端部８ｂは、本実施形態においては水切りカバー６の左右方向の略中間の上方に位置する。この他端部８ｂは下方へ突出する側壁（端板）状に形成されている。
【００２３】
この下向き側壁状の他端部８ｂと水切りカバー６のやや傾斜状の上面６ｃとの間を塞ぐように、前記目地カバー支持具７の他端部付近にカバー装置９が設けられている。
【００２４】
なお、目地カバー８の前後方向の両側には、ヒンジ部材１１を介して回動する側部カバー板１２が設けられている。この側部カバー板１２は目地カバー８に当接するようにバネ部材等（図示せず）によって適宜付勢されており、地震によって左右の躯体が異なる前後方向揺れ動いた場合に、前記ヒンジ部材１１を支点に回動して揺れ動きを吸収するとともに、揺れが終了すると、前記バネ部材等（図示せず）の付勢力により自動的に通常時の状態に復帰するものである。
【００２５】
また、この側部カバー板１２の下部には、左右方向に伸縮する壁面用目地装置１３を設けることが望ましい。この壁面用目地装置１３は公知の壁面用目地装置を用いることができるので、ここではその説明は割愛する。
【００２６】
カバー装置９は、本実施形態においては、目地カバー支持具７の他端部付近に設けられた丸棒状の防水板取付具１４と、この防水板取付具１４が挿入される挿入孔１５を有し、目地カバー８の他端部８ｂと水切りカバー６の上面６ｃの間の隙間を塞ぐ防水板１６とで構成されている。
【００２７】
防水板取付具１４は丸棒状の部材で、その上端部が目地カバー支持具７の他端部付近にボルト等によって固定されており、その下端部側が防水板１６の挿入孔１５に挿入される。
【００２８】
防水板１６は、本実施形態においては、薄板を略逆コ字状に折り曲げた部材で、その上面には挿入孔１５が形成されている。この挿入孔１５に防水板取付具１４が挿入され、防水板１６が防水板取付具１４から脱落しないように、防水板取付具１４の下端部付近には挿入孔１５よりも大径（大寸法）のストッパー１７が固定される。
【００２９】
なお、ストッパー１７としては、防水板取付具１４の上端部や目地カバー支持具７等に一端部が固定され、他端部が防水板１６に固定されたワイヤー等を用いてもよい。ストッパー１７は防水板１６の上下方向の略中央の位置に位置しており、防水板１６は地震による躯体３、４の上下動を吸収できる程度の高さに形成されている。
また、防水板１６の下端部には、フリーベアリング状の摺動部材１８が設けられておいる。
【００３０】
ところで、本実施形態においては、摺動部材１８としてフリーベアリングを用いているが、たとえば一般的なローラーやコロ、滑り材等を摺動部材１８として用いてもよい。また、防水板１６の外側の下端部付近には、防水板１６の下端部と水切りカバー６の上面６ｃとの間の隙間を塞ぐゴム等の弾性材からなる防水カバー１９が設けられている。
また、目地カバー８の他端部８ｂの下端部付近にも、この端部と前記防水板の間の隙間を塞ぐ弾性材からなる防水カバー１９が設けられている。
【００３１】
本実施形態においては、防水板１６の内側（目地部側）に防水手段２０を備えており、この防水手段２０は、前後方向に延在するバー状の重り２１と、重り２１を内包するように上端部が目地カバー７の底面に固定された弾性体で形成された防水シート２２とで構成されている。
【００３２】
弾性体で形成した防水シート２２で重り２１を内包することにより、目地カバー７と水切りカバー６との間の隙間が広がる又は狭まっても、防水シート２２の下端部が水切りカバー６の上面６ｃに少なくとも常時線接触状態で当接させることができ、確実に雨水等の侵入を防止することができる。
【００３３】
地震で躯体３、４が左右方向に揺れ動き目地部２が狭くなると、図７に示すように、目地カバー８が一方の躯体３側へ突出するようにスライド移動し、地震による揺れ動きを吸収する。
このとき、防水板１６の下端部は水切りカバー６の上面６ｃをスライド移動し、常時当接した状態で揺れ動きを吸収する。
【００３４】
地震で躯体３、４が左右方向に揺れ動き目地部２が広くなると、図８に示すように、目地カバー８の他端部８ｂが水切りカバー６上を他方の躯体４側へスライド移動し、地震による揺れ動きを吸収する。
【００３５】
地震で躯体３、４が上下方向に揺れ動き目地カバー８の他端部と水切りカバー６の間の隙間が狭くなると、図９に示すように、防水板１６が水切りカバー６の上面６ｃにより押し上げられることで、上方へ移動して地震による揺れ動きを吸収するとともに、雨水等の侵入を防止する。
【００３６】
地震で躯体３、４が上下方向に揺れ動き目地カバー８の他端部と水切りカバー６の間の隙間が広くなると、図１０に示すように、防水板１６が水切りカバー６の上面６ｃに当接するように下方へ移動して地震による揺れ動きを吸収するとともに、雨水等の侵入を防止する。
【００３７】
[発明を実施するための異なる形態]
次に、図１１乃至図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３８】
図１１乃至図１５に示す本発明を実施するための第２の形態において、前記本発明を実施するための第１の形態と主に異なる点は、パラペット５Ａが形成された他方の躯体４Ａと一方の躯体３との間の目地部２を塞ぐことができるよう、一端部が他方の躯体４のパラペット５Ａの上面に固定され、水切りカバー６の上方にその他端部７ｂが位置するとともに、上面が略山型形状に形成された目地カバー支持具７Ａと、この目地カバー支持具７Ａの上面に支持状態で取り付けられ、該水切りカバー６の一方の躯体３側の端部付近にその他端部８ｂが位置し、上面が略山型に形成された目地カバー８Ａを用いた屋上用目地カバー装置１Ａにした点で、このような屋上用目地カバー装置１Ａにしても、前記本発明を実施するための第１の形態と同様の作用効果を得ることができる。
【００３９】
ところで、本実施形態においては、板状の防水板１６Ａを用いたカバー装置９Ａを使用しており、この防水板１６Ａに有底の挿入孔１５を形成し、防水板取付具１４をこの挿入孔１５に挿入し防水板１６Ａを取り付けている。
【００４０】
本実施形態の目地カバー８Ａは、目地カバー支持具７Ａにビス等により固定されており、一端部側の側壁と他方の躯体４のパラペット５Ａとの間にシール材２３が充填されている。
【００４１】
図１６乃至図１８に示す本発明を実施するための第３の形態において、前記本発明を実施するための第１の形態と主に異なる点は、下端部が開口し、内部に防水板１６Ａが上下方向に移動可能に挿入可能な防水板挿入部２４を有する略箱状の防水板取付具１４Ａと、この防水板取付具１４Ａの防水板挿入部２４に上下方向に移動可能に挿入される板状の防水板１６Ａと、この防水板１６Ａの下端部に設けられた丸棒状の摺動部材１８Ａとで構成されたカバー装置９Ｂを用いた点で、このようなカバー装置を用いた屋上用目地カバー装置１Ｂにしても、前記本発明を実施するための第１の形態と同様の作用効果を得ることができる。
【００４２】
なお、本発明の実施形態においては、防水手段として防水シートとこの防水シートに内包される重りを用いたものについて説明したが、防水シートを防水板と水切りカバーの側壁間に架け渡すように設けてもよいし、その他公知の防水手段を用いることができる。
また、防水板取付具は目地カバー支持具の他端部側に固定しているが、目地カバーの他端部側に固定してもよい。
【００４３】
さらに、本発明の実施形態では、水切りカバーはパラペットとは別体に金属で形成し、パラペットに取り付けたが、躯体に一体的に形成してもよく、水切りカバーを金属、コンクリート、セラミックス、エンジニアプラスチック等を用いて形成してもよい。
【００４４】
目地カバーや水切りカバー、防水板等は、一体的に形成されているものでも、複数個の部品を組み立ててこれらの部材を形成したものでもよい。
【産業上の利用可能性】
【００４５】
本発明は屋上用目地カバー装置を製造する産業で利用される。
【符号の説明】
【００４６】
１、１Ａ、１Ｂ：屋上用目地カバー装置、
２：目地部、
３：一方の躯体、                    ４：他方の躯体、
５：パラペット、                    ６：水切りカバー、
７、７Ａ：目地カバー支持具、        ８、８Ａ：目地カバー、
９、９Ａ：カバー装置、              １０：水切りカバー取付具、
１１：ヒンジ部材、                  １２：側部カバー板、
１３：壁面用目地装置、              １４、１４Ａ：防水板取付具、
１５：挿入孔、                      １６、１６：防水板、
１７：ストッパー、                  １８、１８Ａ：摺動部材、
１９：防水カバー、                  ２０：防水手段、
２１：重り、                        ２２：防水シート、
２３：シール材、                    ２４：防水板挿入部。
【図１】
2020133226.tif 000003
【図２】
2020133226.tif 000004
【図３】
2020133226.tif 000005
【図４】
2020133226.tif 000006
【図５】
2020133226.tif 000007
【図６】
2020133226.tif 000008
【図７】
2020133226.tif 000009
【図８】
2020133226.tif 000010
【図９】
2020133226.tif 000011
【図１０】
2020133226.tif 000012
【図１１】
2020133226.tif 000013
【図１２】
2020133226.tif 000014
【図１３】
2020133226.tif 000015
【図１４】
2020133226.tif 000016
【図１５】
2020133226.tif 000017
【図１６】
2020133226.tif 000018
【図１７】
2020133226.tif 000019
【図１８】
2020133226.tif 000020
【手続補正書】
【提出日】平成31年2月27日(2019.2.27)
【手続補正１】
【補正対象書類名】明細書
【補正対象項目名】００１３
【補正方法】変更
【補正の内容】
【００１３】
図１乃至図１０は本発明の第１の実施形態を示す説明図である。
図１１乃至図１５は本発明の第２の実施形態を示す説明図である。
図１６乃至図１８は本発明の第３の実施形態を示す説明図である。
【図１】第１の実施形態を示す屋上用目地カバー装置の平面図（通常時）。
【図２】図１の２−２線に沿う断面図。
【図３】図１の３−３線に沿う断面図。
【図４】水切りカバーの説明図。
【図５】目地カバー支持具及び目地カバーの説明図。
【図６】カバー装置の説明図。
【図７】地震で目地部が狭くなった場合の正面視側からの動作説明図。
【図８】地震で目地部が広くなった場合の正面視側からの動作説明図。
【図９】地震で目地カバーと水切りカバーの間の隙間が狭くなった場合の正面視側からの動作説明図。
【図１０】地震で目地カバーと水切りカバーの間の隙間が広くなった場合の正面視側からの動作説明図。
【図１１】第２の実施形態を示す屋上用目地カバー装置の平面図。
【図１２】図１１の１２−１２線に沿う断面図。
【図１３】目地カバー支持具の説明図。
【図１４】目地カバーの説明図。
【図１５】カバー装置の説明図。
【図１６】第３の実施形態を示す屋上用目地カバー装置の平面図。
【図１７】図１６の１７−１７線に沿う断面図。
【図１８】カバー装置の説明図。